【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
断続仕様を満たすように構成された電子システムであって、
送信帯域内にある第１無線周波数信号を公称仕様に従って与えるように構成された第１送信経路と、
前記第１無線周波数信号と同じ送信帯域内にある第２無線周波数信号を前記断続仕様に従って与えるように構成された第２送信経路と、
前記第１送信経路及び前記第２送信経路の双方に結合されたスイッチ素子と
を含み、
前記第１送信経路は第１送信フィルタを含み、
前記第２送信経路は、前記第１送信フィルタと近似的に同じ通過帯域を有する第２送信フィルタを含み、
前記スイッチ素子は、第１状態において前記第１無線周波数信号を送信モード出力として与え、第２状態において前記第２無線周波数信号を前記送信モード出力として与えるように構成される電子システム。
【請求項２】
前記第２送信フィルタは前記第１送信フィルタよりも高い帯域外減衰を有する請求項１の電子システム。
【請求項３】
前記第２送信フィルタは前記第１送信フィルタよりも高い帯域内減衰を有する請求項２の電子システム。
【請求項４】
前記スイッチ素子は、
前記第１送信フィルタからの第１無線周波数信号を受信するように構成された第１投と、
前記第２送信フィルタからの第２無線周波数信号を受信するように構成された第２投と
を含む請求項２の電子システム。
【請求項５】
前記スイッチ素子は、断続的信号送信モードを示す信号に少なくとも部分的に基づいて前記第２投を選択してアンテナポートに電気的に結合するように構成される請求項４の電子システム。
【請求項６】
前記第２送信フィルタの帯域外減衰は、前記通過帯域に対して非対称である請求項２の電子システム。
【請求項７】
前記第２送信経路は帯域通過フィルタ及びノッチフィルタを有する請求項１の電子システム。
【請求項８】
前記スイッチ素子は、少なくとも第１投及び第２投を含む多投無線周波数スイッチを含み、
前記第１投は前記第１送信経路に電気的に結合され、
前記第２投は前記第２送信経路に電気的に結合される請求項１の電子システム。
【請求項９】
前記スイッチ素子は、前記第１送信経路、前記第２送信経路又は第３送信経路の一つを選択して前記スイッチ素子の送信モード出力に電気的に結合するように構成される請求項１の電子システム。
【請求項１０】
前記スイッチ素子の前記送信モード出力はアンテナポートに電気的に結合される請求項１の電子システム。
【請求項１１】
前記断続仕様はＮＳ＿０７仕様であり、
前記同じ送信帯域は７７７ＭＨｚから７８７ＭＨｚまでである請求項１の電子システム。
【請求項１２】
前記公称仕様はバンド１３送信仕様である請求項１１の電子システム。
【請求項１３】
前記第２無線周波数信号は前記第１無線周波数信号よりも高い線形性を有する請求項１の電子システム。
【請求項１４】
前記第１送信フィルタ及び前記第２送信フィルタは、一つの受信フィルタを含む共通パッケージ状デュプレクサに含まれる請求項１の電子システム。
【請求項１５】
前記スイッチ素子は、前記第１状態においてアンテナポートを前記一つの受信フィルタ及び前記第１送信フィルタに電気的に結合するように構成され、前記第２状態において前記アンテナポートを前記一つの受信フィルタ及び前記第２送信フィルタに電気的に結合するように構成される請求項１４の電子システム。
【請求項１６】
断続仕様を満たすように構成された電子システムであって、
送信帯域内にある第１無線周波数信号を公称仕様に従って与えるように構成された第１送信経路と、
前記第１無線周波数信号と同じ送信帯域内にある第２無線周波数信号を前記断続仕様に従って与えるように構成された第２送信経路と、
前記第１送信経路及び前記第２送信経路の双方に結合されたスイッチ素子と
を含み、
前記第１送信経路は、前記第２送信経路よりも高い電力付加効率に関連づけられ、
前記第２送信経路は、前記第１送信経路よりも高い線形性に関連づけられ、
前記スイッチ素子は、第１状態において前記第１無線周波数信号を送信モード出力として与え、第２状態において前記第２無線周波数信号を前記送信モード出力として与えるように構成される電子システム。
【請求項１７】
電力増幅器システムであって、
送信帯域内にある第１無線周波数信号を公称仕様に従って与えるように構成された第１送信経路と、
前記第１送信経路に関連づけられて包絡線追跡モードで動作するように構成された第１電力増幅器と、
前記第１無線周波数信号と同じ送信帯域内にある第２無線周波数信号を断続仕様に従って与えるように構成された第２送信経路と、
前記第２送信経路に関連づけられて平均電力追跡モードで動作するように構成された第２電力増幅器と、
前記第１送信経路及び前記第２送信経路の双方に結合されたスイッチ素子と
を含み、
前記スイッチ素子は、第１状態において前記第１無線周波数信号を送信モード出力として与え、第２状態において前記第２無線周波数信号を前記送信モード出力として与えるように構成される電力増幅器システム。
【請求項１８】
断続仕様を満たすように構成された電子システムであって、
送信帯域内にある第１無線周波数信号を公称仕様に従って与えるように構成された第１送信経路と、
前記第１無線周波数信号と同じ送信帯域内にある第２無線周波数信号を前記断続仕様に従って与えるように構成された第２送信経路と、
前記第１送信経路及び前記第２送信経路の双方に結合されたスイッチ素子と
を含み、
前記第１送信経路は前記第２送信経路よりも挿入損失が低く、
前記スイッチ素子は、第１状態において前記第１無線周波数信号を送信モード出力として与え、第２状態において前記第２無線周波数信号を前記送信モード出力として与えるように構成される電子システム。
【請求項１９】
前記第１送信経路は第１送信フィルタを含み、
前記第２送信経路は第２送信フィルタを含み、
前記第１送信フィルタと前記第２送信フィルタとは近似的に同じ通過帯域を有する請求項１８の電子システム。
【請求項２０】
パッケージ状モジュールであって、
送信帯域内にある第１無線周波数信号を公称仕様に従って与えるように構成された第１送信経路と、
前記第１無線周波数信号と同じ送信帯域内にある第２無線周波数信号を断続仕様に従って与えるように構成された第２送信経路と、
前記第１送信経路及び前記第２送信経路の双方に結合されたスイッチ素子と
を含み、
前記第１送信経路は、前記第２送信経路よりも高い電力付加効率に関連づけられ、
前記第２送信経路は、前記第１送信経路よりも高い線形性に関連付けられ、
前記スイッチ素子は、第１状態において前記第１無線周波数信号を送信モード出力として与え、第２状態において前記第２無線周波数信号を前記送信モード出力として与えるように構成され、
前記第１送信経路、前記第２送信経路及び前記スイッチ素子は共通パッケージ内に存在するパッケージ状モジュール。
【請求項２１】
前記第１送信経路は第１送信フィルタを含み、
前記第２送信経路は第２送信フィルタを含み、
前記第１送信フィルタと前記第２送信フィルタとは近似的に同じ通過帯域を有する請求項２０のパッケージ状モジュール。
【請求項２２】
携帯型デバイスであって、
送信帯域内にある第１無線周波数信号を公称仕様に従って与えるように構成された第１送信経路と、
前記第１無線周波数信号と同じ送信帯域内にある第２無線周波数信号を断続仕様に従って与えるように構成された第２送信経路と、
前記第１送信経路及び前記第２送信経路の双方に結合されたスイッチ素子と、
前記スイッチ素子に電気的に結合されて前記スイッチ素子の送信モード出力を送信するように構成されたアンテナと
を含み、
前記第２無線周波数信号は前記第１無線周波数信号よりも高い線形性を有し、
前記スイッチ素子は、第１状態において前記第１無線周波数信号を送信モード出力として与え、第２状態において前記第２無線周波数信号を前記送信モード出力として与えるように構成される携帯型デバイス。
【請求項２３】
前記第１送信経路に関連づけられて包絡線追跡モードで動作するように構成された第１電力増幅器と、
前記第２送信経路に関連付けられた平均電力追跡モードで動作するように構成された第２電力増幅器と
をさらに含む請求項２２の携帯型デバイス。